(57)【要約】【課題】本発明は、従来と比して効率的でかつ一段と冷却効果を上げるようにする。【解決手段】電子部品からなる電源回路１２及び信号処理回路１３が実装された基板１１上に装着され、その内側で電源回路１２及び信号処理回路１３を覆うシールドケース３０１であって、シールドケース３０１の上面３０１Ａに、空気の流れと対向するよう外側へ上面３０１Aの一部を切り起こされたことにより形成した複数の左側切起こし穴３２１からなる空気取込部３２０を設けることにより、空気の流れに対向して設けられた空気取込部３２０を介して空気をシールドケース３０１の内側へ取り込み、その空気によって電源回路１２及び信号処理回路１３を冷却させることができる。【選択図】図５
2009038144.tif 000002
【特許請求の範囲】
【請求項１】
電子部品が実装された基板上に装着され、その内側で上記電子部品を覆うシールドケースであって、
上記シールドケースの少なくとも外側一面に、空気の流れと対向するよう上記外側へ上記一面の一部を切り起こされることにより形成した複数の孔からなる空気取込手段
を具えることを特徴とするシールドケース。
【請求項２】
上記シールドケースは、
上記空気取込手段が配置された面に、上記空気の流れに背を向けるよう上記外側へ上記一面の一部を切り起こされることにより形成した複数の孔からなる空気排出手段
を具え、
上記空気取込手段が空気の流れに対して風上側に配置され、上記空気排出手段が風下側に配置された
ことを特徴とする請求項１に記載のシールドケース。
【請求項３】
上記空気取込手段は、上記空気排出手段と左右対称に配置された
ことを特徴とする請求項２に記載のシールドケース。
【請求項４】
上記空気取込手段及び上記空気排出手段は、上記複数の孔が千鳥状に配置された
ことを特徴とする請求項３に記載のシールドケース。
【請求項５】
電子部品が実装された基板と、当該基盤上に装着され、その内側で上記電子部品を覆うシールドケースとからなる電子部品ユニットであって、
上記シールドケースの少なくとも外側一面に、空気の流れと対向するよう上記外側へ上記一面の一部を切り起こされることにより形成した複数の孔からなる空気取込手段
を具えることを特徴とする電子部品ユニット。
【発明の詳細な説明】
【技術分野】
【０００１】
本発明は、シールドケース及び電子部品ユニットに関し、例えばプロジェクタ装置内の基板上に実装された電子部品を覆うシールドケースに適用して好適なものである。
【背景技術】
【０００２】
従来、シールドケースにおいては、電子部品が実装された基板上に、当該電子部品を覆うように取り付けられており、電子部品から当該シールドケースの外側へ輻射される電磁波、及び当該シールドケースの外側から内側へ輻射される電磁波を遮蔽するようになされている。
【０００３】
例えば図１に示すように、シールドケース１は、その内側に設けられた電子部品（図示せず）から発生した熱を外側へ放出するため、当該シールドケース１の上面１Ａ、左側面１Ｂ、右側面１Ｃ、正面１Ｄ及び背面１Ｅにそれぞれ円形の通気孔２Ａ、通気孔２Ｂ（図示せず）、通気孔２Ｃ、通気孔２Ｄ及び通気孔２Ｅ（図示せず）を複数設けるようになされたものがある（例えば、特許文献１参照）。
【０００４】
一方、図２に示すように、従来のプロジェクタ装置１００では、筐体１０１の内部にファン１０２、電子部品ユニット１０、光源（図示せず）及び光学系ユニット（図示せず）等が設けられている。
【０００５】
電子部品ユニット１０は、基板１１上に実装された電源回路１２及び信号処理回路１３をシールドケース１によって覆われた構成を有する。このプロジェクタ装置１００は、電子部品ユニット１０の電源回路１２から供給される電源電力に基づいてファン１０２、光源、光学系ユニット及び信号処理回路１３等を動作させるようになされている。
【０００６】
プロジェクタ装置１００は、信号処理回路１３により生成された映像信号に基づく映像を光学系ユニットの液晶パネル（図示せず）に表示し、光源から出射された光を液晶パネルに対して透過させることにより映像光を得、その映像光をスクリーン等に投射するようになされている。
【０００７】
またプロジェクタ装置１００は、その筐体１０１に吸気口１０３及び排気口１０４が互いに対向するように設けられており、ファン１０２により吸気口１０３を介して外部から筐体１０１の内部へ空気を取り込ませ、当該取り込ませた空気を排気口１０４から外部へ排出させるようになされている。
【０００８】
ところでプロジェクタ装置１００は、電子部品ユニット１０の電源回路１２及び信号処理回路１３が複数の電子部品で構成されており、その電子部品が発熱するために冷却する必要がある。
【０００９】
ここでプロジェクタ装置１００は、基板１１の長手方向の面が空気の流れに対して平行に設けられた場合、シールドケース１の上面１Ａと当該基板１１の長手方向の面とが平行に設けられているため、当該シールドケース１の上面１Ａも当該空気の流れに対して平行に設けられることになる。
【００１０】
このときシールドケース１は、空気の流れと対向する風上側に設けられた左側面１Ｂの通気孔２Ｂから内側へ空気を取り込み、電源回路１２及び信号処理回路１３から発生した熱をその空気に吸収させることにより、電源回路１２及び信号処理回路１３を冷却させるようになされている。
【００１１】
その後シールドケース１は、電源回路１２及び信号処理回路１３を冷却させることにより温められた空気を、風下側に設けられた右側面１Ｃの通気孔２Ｃから排出させるようになされている。
【特許文献１】特開2005-11864公報
【発明の開示】
【発明が解決しようとする課題】
【００１２】
ところでかかる構成のシールドケース１においては、ファン１０２により外部から取り込ませた空気の流れに対して長手方向の上面１Ａが平行になるため、上面１Ａの通気孔２Ａから空気を内側へほとんど取り込むことができず、電源回路１２及び信号処理回路１３に対して十分な冷却効果を得られないという問題があった。
【００１３】
本発明は以上の点を考慮してなされたもので、従来と比して効率的でかつ一段と冷却効果を上げるシールドケース及び電子部品ユニットを提案しようとするものである。
【課題を解決するための手段】
【００１４】
かかる課題を解決するため本発明においては、電子部品が実装された基板上に装着され、その内側で電子部品を覆うシールドケースであって、シールドケースの少なくとも外側一面に、空気の流れと対向するよう外側へ一面の一部を切り起こされることにより形成した複数の孔からなる空気取込手段を設けるようにした。
【００１５】
これにより、空気の流れと対向するよう設けられた空気取込手段を介して当該空気をシールドケースの内側へ効率的に取り込み、その空気によって電子部品を効果的に冷却させることができる。
【００１６】
また本発明においては、電子部品が実装された基板と、基盤上に装着され、その内側で電子部品を覆うシールドケースとからなる電子部品ユニットであって、シールドケースの少なくとも外側一面に、空気の流れと対向するよう外側へ上記一面の一部を切り起こされることにより形成した複数の孔からなる空気取込手段を設けるようにした。
【００１７】
これにより、空気の流れと対向するよう設けられた空気取込手段を介して当該空気をシールドケースの内側へ効率的に取り込み、その空気によって電子部品を効果的に冷却させることができる。
【発明の効果】
【００１８】
本発明によれば、空気の流れと対向するよう設けられた空気取込手段を介して当該空気をシールドケースの内側へ効率的に取り込み、その空気によって電子部品を効果的に冷却させることができるので、従来と比して効率的でかつ一段と冷却効果を上げるシールドケース及び電子部品ユニットを実現できる。
【発明を実施するための最良の形態】
【００１９】
以下に、図面について、本発明の一実施の形態を詳述する。
【００２０】
（１）プロジェクタの全体構成
図２との対応部分に同一符号を付した図３において、２００は全体としてプロジェクタ装置を示し、筐体２０１の内部に光源２０５、光学系ユニット２０６、電子部品ユニット３１０、ファン１０２及びファン２０２等が設けられており、プロジェクタ装置２００から投射レンズ２３０を介して投射した映像をスクリーン６００に表示するようになされている。
【００２１】
なお図３は、プロジェクタ装置２００を示す平面図であり、プロジェクタ装置２００からスクリーン６００へ映像を投射する方向を基準として左右方向を規定する。
【００２２】
光学系ユニット２０６は、フライアイレンズ２１１及び２１２、ＰＳ変換素子２１３、集光レンズ２１４、反射ミラー２１５、２１８、２２０及び２２２、ダイクロイックミラー２１６及び２１７、リレーレンズ２１９及び２２１、フィールドレンズ２２３、２２５及び２２７、液晶パネル２２４、２２６及び２２８、クロスダイクロイックプリズム２２９及び投射レンズ２３０等により構成されている。
【００２３】
ところでプロジェクタ装置２００は、その筐体２０１に対して吸気口１０３及び吸気口２０３と、排気口１０４及び排気口２０４とが互いに対向するように設けられており、ファン２０２により吸気口２０３を介して外部から筐体２０１の内部へ取り込ませた空気によって主に光源２０５及び光学系ユニット２０６を冷却させ、光源２０５及び光学系ユニット２０６を冷却させることにより温められた空気を排気口２０４から外部へ排出させるようになされている。
【００２４】
同様にプロジェクタ装置２００では、ファン１０２により吸気口１０３を介して外部から筐体２０１の内部へ取り込ませた空気により主に電子部品ユニット３１０の電源回路１２及び信号処理回路１３を冷却させ、電源回路１２及び信号処理回路１３を冷却させることにより温められた空気を排気口１０４から外部へ排出させるようになされている。
【００２５】
一方、光学系ユニット２０６では、光源２０５から発光した白色光をフライアイレンズ２１１、フライアイレンズ２１２、ＰＳ変換素子２１３及び集光レンズ２１４を透過させることにより、輝度むらを均一化すると共に直線偏光に変換した白色光を、反射ミラー２１５を介してダイクロイックミラー２１６に入射させる。
【００２６】
ダイクロイックミラー２１６は、反射ミラー２１５を介して入射された白色光のうち、赤色光を透過させ、青色光及び緑色光を反射させるようになされており、当該ダイクロイックミラー２１６を透過させた赤色光を反射ミラー２１８を介してフィールドレンズ２２３により集光して液晶パネル２２４に入射させ、当該ダイクロイックミラー２１６を反射させた青色光及び緑色光をダイクロイックミラー２１７に入射させる。
【００２７】
ダイクロイックミラー２１７は、ダイクロイックミラー２１６から入射された青色光及び緑色光のうち、青色光を透過させ、緑色光を反射させるようになされており、当該ダイクロイックミラー２１７を反射させた緑色光をフィールドレンズ２２５により集光して液晶パネル２２６に入射させ、当該ダイクロイックミラー２１７を透過させた青色光をリレーレンズ２１９、反射ミラー２２０、リレーレンズ２２１及び反射ミラー２２２を介してフィールドレンズ２２７により集光して液晶パネル２２８に入射させる。
【００２８】
液晶パネル２２４、２２６及び２２８は、電子部品ユニット３１０の信号処理回路１３により生成された映像信号に基づいて、それぞれ赤色、緑色及び青色に対応した映像を表示するようになされている。従ってプロジェクタ装置２００では、液晶パネル２２４、２２６及び２２８に対してフィールドレンズ２２３、２２５及び２２７により集光した赤色光、緑色光及び青色光をそれぞれ透過させた後、クロスダイクロイックプリズム２２９に入射させる。
【００２９】
クロスダイクロイックプリズム２２９は、液晶パネル２２４、２２６及び２２８から入射された赤色光、緑色光及び青色光を合成し、投射レンズ２３０によって合成映像光をスクリーン６００に投射するようになされている。
【００３０】
このようにしてプロジェクタ装置２００は、スクリーン６００に対して合成映像光に基づく映像を表示し得るようになされている。
【００３１】
（２）電子部品ユニットの構成
（２−１）電子部品ユニットの全体構成
図３及び図４に示すように、電子部品ユニット３１０は、基板１１と、当該基板１１に実装された電源回路１２及び信号処理回路１３と、当該基板１１上に取り付けられ、当該電源回路１２及び当該信号処理回路１３を覆うシールドケース３０１（詳しくは後述する）とにより構成されている。また電子部品ユニット３１０は、電源回路１２から供給する電源電力に基づいて光源２０５、光学系ユニット２０６、信号処理回路１３、ファン１０２及びファン２０２等を動作させるようになされている。
【００３２】
（２−２）シールドケースの構成
図５に示すように、シールドケース３０１は、下部を開口した略直方体形状でなり、電源回路１２（図４）及び信号処理回路１３が実装された基板１１上に取り付けられている。
【００３３】
このシールドケース３０１は、例えばアルミ等の伝導性材料によって構成され、内側の電源回路１２及び信号処理回路１３から当該シールドケース３０１の外側へ輻射される電磁波、及び当該シールドケース３０１の外側から内側へ輻射される電磁波を遮蔽するようになされている。
【００３４】
またシールドケース３０１は、左側面３０１Ｂ、右側面３０１Ｃ、正面３０１Ｄ及び背面３０１Ｅに、それぞれ円形でかつ所定径の通気孔３０２Ｂ（図示せず）、通気孔３０２Ｃ、通気孔３０２Ｄ及び通気孔３０２Ｅ（図示せず）が複数設けられており、これら複数の通気孔３０２Ｂ〜３０２Ｅがそれぞれ千鳥状に配置されている。
【００３５】
なおシールドケース３０１の通気孔３０２Ｂ〜３０２Ｅは、電磁波を通過させない程度の径に形成されており、例えば通気孔３０２Ｂ〜３０２Ｅの直径が３［ｍｍ］と設定されている。
【００３６】
またシールドケース３０１は、上面３０１Ａの風上側半分の領域、すなわち左側半分の領域に対し、空気取込部３２０が設けられている。この空気取込部３２０は、空気の流れと対向するよう外側へ複数の左側切起こし穴３２１（詳しくは後述する）が設けられており、これら複数の左側切起こし穴３２１が千鳥状に配置されている。
【００３７】
さらにシールドケース３０１は、上面３０１Ａの風下側半分の領域、すなわち右側半分の領域に対し、空気排出部３３０が設けられている。この空気排出部３３０は、空気の流れに背を向けるよう外側へ、左側切起こし穴３２１と同形状でなる複数の右側切起こし穴３３１が設けられており、これら複数の右側切起こし穴３３１が千鳥状に配置されている。
【００３８】
なおシールドケース３０１は、その上面３０１Ａに対し、空気取込部３２０及び空気排出部３３０が左右対称に配置されており、基板１１上にシールドケース３０１を取り付けられる際、左右を反対に取り付けられた場合であっても、空気取込部３２０を空気排出部３３０に代替し、空気排出部３３０を空気取込部３２０に代替することができるので、正しく取り付けられた場合と同様の機能を有するようになされている。
【００３９】
因みにシールドケース３０１は、一体型の構造をしている場合について述べたが、上面３０１Ａを含む蓋部と、左側面３０１Ｂ、右側面３０１Ｃ、正面３０１Ｄ及び背面３０１Ｅを含む本体部とがそれぞれ別々の構造をしていても良い。
【００４０】
（２−３）左側切起こし穴の構成
図６（Ａ）及び（Ｂ）に示すように空気取込部３２０の左側切起こし穴３２１は、シールドケース３０１の上面３０１Ａから付根部３２１Ｃを介して馬蹄形に切り起こしたことより形成された切起こし片３２１Ａが空気の流れと対向するよう外側へ設けられている。
【００４１】
因みに図６（Ａ）は、左側切起こし穴３２１の平面図を示しており、図６（Ｂ）は図６（Ａ）のＢ−Ｂ’断面を示している。
【００４２】
また左側切起こし穴３２１は、切起こし片３２１Ａが空気の流れと対向するよう外側へ設けられたことにより形成した通気孔３２１Ｂを有しており、シールドケース３０１の外側から内側へ通気孔３２１Ｂを介して空気を取り込む、又はシールドケース３０１の内側から外側へ空気を排出するようになされている。
【００４３】
なお左側切起こし穴３２１は、通気孔３２１Ｂから電磁波を通過させない程度の大きさに形成されており、例えば切起こし片３２１Ａの幅が３［ｍｍ］及び長さを５［ｍｍ］に設定されている。
【００４４】
また左側切起こし穴３２１は、切起こし片３２１Ａの切起こし角度θがシールドケース３０１の上面３０１Ａに対して３０°〜４５°に設定されており、シールドケース３０１の内側へ空気を取り込む際、切起こし片３２１Ａを介して空気を効率的に内側へ取り込み得るようになされている。
【００４５】
（２−４）右側切起こし穴の構成
空気排出部３３０（図５）の右側切起こし穴３３１は、空気取込部３２０の左側切起こし穴３２１とは異なり、空気の流れに背を向けるよう外側へ設けられているが、その他については左側切起こし穴３２１と同一形状を有しているため、ここではその説明を省略する。
【００４６】
（２−５）空気の流れの様子
図３のＡ−Ａ’断面である図７に示すように、プロジェクタ装置２００は、吸気口１０３を介してファン１０２により筐体３の内部へ空気を取り込ませ、当該取り込ませた空気を排気口１０４から排出させるようになされている。
【００４７】
ところでプロジェクタ装置２００は、基板１１の長手方向の面が空気の流れに対して平行に設けられた場合、シールドケース３０１の上面３０１Ａと当該基板１１の長手方向の面とが平行に設けられているため、当該シールドケース３０１の上面３０１Ａも当該空気の流れに対して平行に設けられることになる。
【００４８】
そのためシールドケース３０１は、空気の流れと対向した風上側に設けられた左側面３０１Ｂの通気孔３０２Ｂを介して空気を内側へ取り込むと共に、上面３０１Ａの左側半分の領域に設けられた空気取込部３２０を介して内側へ空気を取り込むため、空気取込部３２０を介して内側へ空気を取り込む分だけ、従来と比して一段と多くの空気を内側へ取り込み得るようになされている。
【００４９】
そしてシールドケース３０１は、電源回路１２及び信号処理回路１３から発生した熱を通気孔３０２Ｂ及び空気取込部３２０から取り込んだ空気に吸収させることにより、電源回路１２及び信号処理回路１３を冷却させるようになされている。
【００５０】
その後、シールドケース３０１は、電源回路１２及び信号処理回路１３を冷却させることにより温められた空気を、風下側に設けられた右側面３０１Ｃの通気孔３０２Ｃと、上面３０１Ａの右側半分の領域に設けられた空気排出部３３０とを介して排出するようになされている。
【００５１】
従ってシールドケース３０１は、空気取込部３２０及び空気排出部３３０が上面３０１Ａに設けられたことにより、空気取込部３２０を介して内側へ空気を取り込む分だけ、従来と比して一段と多くの空気を内側へ取り込むことができ、当該取り込んだ空気によって電源回路１２及び信号処理回路１３を効果的に冷却させ得るようになされている。
【００５２】
（３）動作及び効果
以上の構成において、電子部品ユニット３１０は、基盤１１と、当該基盤１１に実装された電源回路１２及び信号処理回路１３と、電源回路１２及び信号処理回路１３を覆うシールドケース３０１とにより構成されるようにした。
【００５３】
シールドケース３０１は、電源回路１２及び信号処理回路１３が実装された基板１１上に、当該電源回路１２及び当該信号処理回路１３を覆うよう取り付けられており、左側面３０１Ｂ、右側面３０１Ｃ、正面３０１Ｄ及び背面３０１Ｅにそれぞれ複数の通気孔３０２Ｂ、通気孔３０２Ｃ、通気孔３０２Ｄ及び通気孔３０２Ｅが設けられ、上面３０１Ａの左側半分の領域に複数の左側切起こし穴３２１からなる空気取込部３２０と、右側半分の領域に複数の右側切起こし穴３３１からなる空気排出部３３０とが設けられるようにした。
【００５４】
これによりシールドケース３０１は、上面３０１Ａが空気の流れに対して平行に取り付けられた場合、当該空気の流れに対向する風上側の左側面３０１Ｂに設けられた複数の通気孔３０２Ｂと、上面３０１Ａの左側半分の領域に設けられた空気取込部３２０とを介して空気を内側へ取り込むことができ、空気取込部３２０を介して内側へ空気を取り込む分だけ、従来と比して一段と多くの空気を効率的に内側へ取り込むことができる。
【００５５】
そのためシールドケース３０１は、左側面３０１Ｂに設けられた通気孔３０２Ｂと、上面３０１Ａの左側半分の領域に設けられた空気取込部３２０とを介して取り込んだ空気により電源回路１２及び信号処理回路１３を従来と比して効率的でかつ一段と効果的に冷却させることができる。
【００５６】
またシールドケース３０１は、金属フィラーが混入されたシリコンゴム及びアクリルゴム等の熱伝導シート等を電源回路１２及び信号処理回路１３とシールドケース３０１とに接触させ、電源回路１２及び信号処理回路１３から発生した熱を熱伝導によりシールドケース３０１の外側へ放出するような構造を採る必要がなく、空気取込部３２０及び空気排出部３３０が上面３０１Ａに設けられただけの簡単な構造で、電源回路１２及び信号処理回路１３を効果的に冷却させることができる。
【００５７】
なおシールドケース３０１は、その上面３０１Ａに、空気取込部３２０及び空気排出部３３０が左右対称に配置されており、基板１１上に取り付けられる際、左右を反対に取り付けられた場合であっても、空気取込部３２０を空気排出部３３０に代替し、空気排出部３３０を空気取込部３２０に代替することにより、正しく取り付けられた場合と同様の機能を有することができる。
【００５８】
さらにシールドケース３０１は、空気取込部３２０に設けられた複数の左側切起こし穴３２１が千鳥状に配置されたことにより、シールドケース３０１の内側へ空気を取り込む際、風上側の左側切起こし穴３２１の切起こし片３２１Ａが風下側の左側切起こし穴３２１の切起こし片３２１Ａに対して空気の取り込み動作を妨げることがなく、風上側の左側切起こし穴３２１及び風下側の左側切起こし穴３２１の双方から空気を取り込むことができるので、シールドケース３０１の内側へ空気を効率よく取り込むことができる。
【００５９】
以上の構成によれば、シールドケース３０１は、その上面３０１Ａに対し、左側半分の領域に複数の左側切起こし穴３２１からなる空気取込部３２０と、右側半分の領域に複数の右側切起こし穴３３１からなる空気排出部３３０とが設けられたことにより、従来と比して効率的でかつ一段と冷却効果を上げることができる。
【００６０】
（４）他の実施の形態
なお上述した実施の形態においては、シールドケース３０１として左側面３０１Ｂ、右側面３０１Ｃ、正面３０１Ｄ及び背面３０１Ｅにそれぞれ複数の通気孔３０２Ｂ、通気孔３０２Ｃ、通気孔３０２Ｄ及び通気孔３０２Ｅと、上面３０１Ａの左側半分の領域に空気の流れと対向するよう配置された空気取込部３２０と、上面３０１Ａの右側半分の領域に空気の流れに背を向けるよう配置された空気排出部３３０とが設けられた場合について述べたが、本発明はこれに限らず、図８に示すようにシールドケース４０１の左側面４０１Ｂ、右側面４０１Ｃ、正面４０１Ｄ及び背面４０１Ｅにそれぞれ複数の通気孔４０２Ｂ（図示せず）、通気孔４０２Ｃ、通気孔４０２Ｄ及び通気孔４０２Ｅ（図示せず）と、上面４０２Ａの全面に空気の流れと対向するよう外側へ配置された複数の切起こし穴４２１からなる空気取込部４２０とが設けられるようにしても良い。
【００６１】
また上述した実施の形態においては、シールドケース３０１として左側面３０１Ｂ、右側面３０１Ｃ、正面３０１Ｄ及び背面３０１Ｅにそれぞれ複数の通気孔３０２Ｂ、通気孔３０２Ｃ、通気孔３０２Ｄ及び通気孔３０２Ｅと、上面３０１Ａの左側半分の領域に空気の流れと対向するよう配置された空気取込部３２０と、上面３０１Ａの右側半分の領域に空気の流れに背を向けるよう配置された空気排出部３３０とが設けられた場合について述べたが、本発明はこれに限らず、図９に示すように、空気の流れが正面５０１Ｄと対向し、当該空気が上面５０１Ａの長手方向に沿って正面５０１Ｄ側から背面５０１Ｅ側へ流れる場合、シールドケース５０１の上面５０１Ａ、正面５０１Ｄ及び背面５０１Ｅにそれぞれ複数の通気孔５０２Ａ、通気孔５０２Ｄ及び通気孔５０２Ｅと、左側面５０１Ｂ及び右側面５０１Ｃの正面側半分の領域に空気の流れに対向するよう外側へそれぞれ複数の前側切起こし穴５２１Ｂ（図示せず）からなる空気取込部５２０Ｂ（図示せず）及び複数の前側切起こし穴５２１Ｃからなる空気取込部５２０Ｃと、左側面５０１Ｂ及び右側面５０１Ｃの背面側半分の領域に空気の流れに背を向けるよう外側へそれぞれ複数の後側切起こし穴５３１Ｂ（図示せず）からなる空気排出部５３０Ｂ（図示せず）及び複数の後側切起こし穴５３１Ｃからなる空気排出部５３０Ｃとが設けられるようにしても良い。
【００６２】
さらに上述した実施の形態においては、左側切起こし穴３２１及び右側切起こし穴３３１が馬蹄形に形成された場合について述べたが、本発明はこれに限らず、左側切起こし穴３２１及び右側切起こし穴３３１が四角形、三角形等のその他種々の形状に形成されるようにしても良い。
【００６３】
さらに上述した実施の形態においては、左側切起こし穴３２１の切起こし片３２１Ａの幅が３［ｍｍ］及び横幅が５［ｍｍ］と設定された場合について述べたが、本発明はこれに限らず、電磁波を通過させない程度の大きさであれば、その寸法は幾らでも良い。
【００６４】
さらに上述した実施の形態においては、切起こし片３２１Ａの切起こし角度θがシールドケース３０１の上面３０１Ａに対して３０°〜４５°に設定された場合について述べたが、本発明はこれに限らず、切起こし片３２１Ａの切起こし角度θがシールドケース３０１の上面３０１Ａに対して外側へ設定され、９０°以内であれば、その角度は幾らでも良い。
【００６５】
さらに上述した実施の形態においては、シールドケース３０１に設けられた通気孔３０２Ｂ〜３０２Ｅ、左側切起こし穴３２１及び右側切起こし穴３３１が千鳥状に配置された場合について述べたが、本発明はこれに限らず、シールドケース３０１に設けた通気孔３０２Ｂ〜３０２Ｅ、左側切起こし穴３２１及び右側切起こし穴３３１が正方配列、ランダム配列等のその他種々の配列により配置されるようにしても良い。
【００６６】
さらに上述した実施の形態においては、シールドケース３０１の左側面３０１Ｂ、右側面３０１Ｃ、正面３０１Ｄ及び背面３０１Ｅにそれぞれ複数の通気孔３０２Ｂ、通気孔３０２Ｃ、通気孔３０２Ｄ及び通気孔３０２Ｅが設けられた場合について述べたが、本発明はこれに限らず、シールドケース３０１の左側面３０１Ｂ、右側面３０１Ｃ、正面３０１Ｄ及び背面３０１Ｅにそれぞれ複数のスリットが設けられるようにしても良い。
【００６７】
さらに上述した実施の形態においては、空気取込手段として空気取込部３２０によって本発明のシールドケースを構成する場合について述べたが、本発明はこれに限らず、その他種々の構成でなる空気取込手段によってシールドケースを構成するようにしても良い。
【産業上の利用可能性】
【００６８】
本発明のシールドケース及び電子部品ユニットは、例えばプロジェクタ装置以外のテレビジョン受像機、ノート型パーソナルコンピュータ等のその他種々に実装された電子部品を覆うシールドケース及び電子部品ユニットに適用することができる。
【図面の簡単な説明】
【００６９】
【図１】従来のシールドケースの構成を示す略線図である。
【図２】従来のプロジェクタ装置の構成を示す略線図である。
【図３】プロジェクタ装置の構成を示す略線図である。
【図４】電子部品ユニットの構成を示す略線図である。
【図５】シールドケースの構成を示す略線図である。
【図６】左側切起こし穴の構成を示す略線図である。
【図７】空気の流れの様子（Ａ−Ａ’断面）を示す略線図である。
【図８】他の実施形態におけるシールドケースの構成（１）を示す略線図である。
【図９】他の実施形態におけるシールドケースの構成（２）を示す略線図である。
【符号の説明】
【００７０】
１、３０１……シールドケース、２Ａ〜２Ｅ、３０２Ｂ〜３０２Ｅ……通気孔、１０、３１０……電子部品ユニット、１１……基板、１２……電源回路、１３……信号処理回路、１００、２００……プロジェクタ装置、１０１、２０１……筐体、１０２、２０２……ファン、１０３、２０３……吸気口、１０４、２０４……吸気口、２０５……光源、２０６……光学系ユニット、３２０……空気取込部、３２１……左側切起こし穴、３２１Ａ……切起こし片、３２１Ｂ……通気孔、３２１Ｃ……付根部、３３０……空気排出部、３３１……右側切起こし穴、６００……スクリーン。
【図１】
2009038144.tif 000003
【図２】
2009038144.tif 000004
【図３】
2009038144.tif 000005
【図４】
2009038144.tif 000006
【図５】
2009038144.tif 000007
【図６】
2009038144.tif 000008
【図７】
2009038144.tif 000009
【図８】
2009038144.tif 000010
【図９】
2009038144.tif 000011